(57)【特許請求の範囲】
【請求項１】
細径状の前端部と該前端部より太径の手元部から成る長尺可撓性の芯材の該前端部に、両端を該芯材に固着したコイルばね体を嵌装した医療用ガイドワイヤにおいて、前記芯材の前記前端部が先端方向に徐変縮径またはテーパー縮径された先細形状にして、先端から少くとも２０粍長は前記コイルばね体と前記芯材の非一体化ゾーンに形成され、さらに、該非一体化ゾーンから該コイルばね体の後端間に、該芯材の外周と該コイルばね体の内周を固着一体化した厚さ約０．３粍〜１．０粍にして放射線不透過材から成る固着ポイントを、複数個等スパン配設した固着ポイントゾーンを設けると共に、前記コイルばね体は、前半部分が放射線不透過材にして後半部分が放射線透過材の異種金属接合線から成る単一コイル形態にして、該放射線不透過材から成る放射線不透過性コイルのコイル長が前記固着ポイントのスパンの整数倍に設定された構造を特徴とする医療用ガイドワイヤ。
【請求項２】
固着ポイントゾーンが、先端から５０粍〜１４０粍の位置に存在する請求項１に記載の医療用ガイドワイヤ。
【請求項３】
固着ポイントの等スパンのスパン長が約１０粍に設定された請求項２に記載の医療用ガイドワイヤ。
【発明の詳細な説明】
【技術分野】
【０００１】
本発明は、血管狭窄部等の体腔内病変部の検査・治療にカテーテルを体腔内に挿入するのを支援したり、その病変部のサイズ計測に使用する医療用ガイドワイヤに関するものである。
【背景技術】
【０００２】
医療用ガイドワイヤ（以下、単にガイドワイヤという）は、曲りくねった細い血管内に挿入して、体外に位置する手元部を「押し・引き・回転」手動操作して先端部分を病変部に導く操作プロセスとなる。従って、先端部分からの挿入操作を円滑にするためには、自由状態で真直性を有して全体が柔軟な可撓性にして曲げ変形からの良好な復元性を有すると共に先端部分が高柔軟性にして後端部分が応分の剛性を有する傾斜特性にして、前記の手動操作に先端部分が的確に順応するステアリング性を備えた高度の機械的性質が必要になる。
【０００３】
そこで（図５（Ａ）参照）、細長可撓性長尺体にして、「太径の芯材手元部２Ｂ」と「細径にして先細形態の芯材前端部２Ａ」から成る芯材の前端部２Ａに、両端を前端部２Ａに固定した可撓性のコイルばね体３を嵌装したガイドワイヤ先端部１Ａ（以下、単に先端部１Ａという）の基本構造のものが広く普及している。
【０００４】
そして、その基本構造のものにおいて、特許文献１には、コイルばね体３のコイル線間遊隙からコイル内に逆流血流が入るのを防止する為の「コイルばね体３の内周と芯材前端部２Ａを堰リングで固着した血流防止固着部（図示しない）」を先端部１Ａの長さ方向の中間に設けた構造が示され、特許文献２には芯材前端部２Ａの応力集中折損を防止する為の「コイルばね体３の中間内周と芯材前端部２Ａの外周をワンポイント連結した連結固着部（図示しない）」を設けた構造が示されている。
【０００５】
そして、特許文献３には（図５（Ｂ）参照）「放射線不透過材から成り、コイルばね体３の内周に固着して芯材前端部２Ａ外周との間に遊隙を設けたり、図示のように芯材前端部２Ａの外周に固着してコイルばね体３の内周との間に遊隙を設けた」マーカーＭをスパン配設した構造が示され、体腔内へ挿入した状態で放射線投影することによって、マーカーＭによって病変部のサイズ計測を可能にした計測機能つきのものが示されている。
【０００６】
【特許文献１】特開２００１−１７８８２９公報
【特許文献２】特開平８−１７３５４７号公報
【特許文献３】特表平７−５００７４９号公報
【発明の開示】
【発明が解決しようとする課題】
【０００７】
以上の背景技術の前記の血流防止固着部・連結固着部・マーカーＭは、それぞれの技術目的に基づく単なる「コイルばね体３内空間に設定固定する形態」であることから、先端部１Ａが体腔内で複雑に曲げ変形して挿入前進したり血管分岐部分で曲げ変形して血管路を選択するときの曲げ特性と、体外に位置する手元部を押し引き・回転操作する先端部１Ａのステアリング性が良好とは言い難く、改良すべき難点がある。なお、この曲げ特性・ステアリング性の詳細な難点は、後述する「本発明の効果」の項において詳細に解析補足する。
【０００８】
本発明は、以上の背景技術の難点を解消し、当該治療性の特段の向上を図る高品質・高性能の医療用ガイドワイヤを提供するものである。
【課題を解決するための手段】
【０００９】
以上の技術課題を解決する医療用ガイドワイヤ１は（その基本形態を示す図１参照）「細径状の前端部２Ａと前端部２Ａより太径の手元部２Ｂから成る長尺可撓性の芯材２の前端部２Ａに、両端を芯材２に固定したコイルばね体３を嵌装した先端部１Ａから成る医療用ガイドワイヤ１において、芯材２の前端部２Ａが截頭円錐形部５等によって前端方向に徐変縮径またはテーパー縮径された先細形状にして、先端から少くとも２０粍長はコイルばね体３と芯材２の非一体化ゾーンＬに形成され、さらに非一体化ゾーンＬからコイルばね体３の後端間に、芯材２の外周とコイルばね体３の内周を固着した固着ポイントＰを複数個スパン配設した構造」が特徴である。なお、この基本形態のものは「前記特許請求の範囲の本発明の医療用ガイドワイヤ」の基本となる上位概念構造である。
【００１０】
即ち、前記基本形態のガイドワイヤは、先端部分を構成する「芯材２と芯材２に嵌挿したコイルばね体３」を、固着ポイントＰによって固着一体化した柔軟可撓性一体構造物として機能させて、先端部１Ａに特段の曲げ特性と高度ステアリング性を付与する思想を特徴とするものである。
【００１１】
そして、前記基本形態のガイドワイヤは、前記特有思想による特段の作用効果のさらなる向上を図る技術意図から下記の態様を採択する。即ち、「固着ポイントＰのスパンが級数的徐変形態または等スパン形態」「コイルばね体３が単条形態」「コイルばね体３の前半部分が、固着ポイントＰのスパンの整数倍の長さの放射線不透過性コイル、後半部分が放射線透過性コイルから成る形態」「固着ポイントＰが放射線不透過材から成る計測機能つき形態」「芯材の太径部位の固着ポイントのスパンを分母に成し、該芯材の細径部位の固着ポイントのスパンを分子に成す数値が、該太径の直径を分母と成し該細径の直径を分子と成す数値の４乗以下に設定された形態」等の態様を必要に応じて採択する。
【００１２】
なお、前記の基本構成において、先端からの少くとも２０粍以上を「固着ポイントＰの不存在の非一体化ゾーンＬ」としたのは、ガイドワイヤを体腔内へ挿入し易くするために先端部位を指先等で「くの字」等に塑性変形するプリシエイプ加工の加工性を確保すると共に、体腔内への円滑な先導挿入を可能にする高柔軟性を確保するためである。そして、前記構成要件の非一体化ゾーンとは、固着ポイントＰの不存在ゾーンを意味する。
【００１３】
そして、固着ポイントＰによる前端部２Ａとコイルばね体３の両者の固着形状は、両者を同芯状に固着するのが好ましい。しかし、微細形状のコイルばね体３内の固着工法であることから、両者が偏芯した固着形状に成ることがあり、この２様の固着形状を含めた固着形態が包含される。
【発明の効果】
【００１４】
前記基本形態のガイドワイヤ１は、下記に詳述する特段の曲げ特性が確保できる。即ち、（図１（Ｃ）参照）芯材２とコイルばね体３の諸元を同一にした「固着ポイントＰ配設のガイドワイヤ１」と「固着ポイントＰ不存在の背景技術のガイドワイヤ２０」を同一曲げ半径にＵ字曲げ変形させて対比すると、ガイドワイヤ２０は芯材２の前端部２Ａの先細形状に基づく長さ方向の曲げ剛性の変化によって、手元側から先端方向へ曲率半径Ｒ３・Ｒ４を順次小にして曲げ変形すると共に、その曲率半径Ｒ３・Ｒ４の円弧変換点が変曲点Ｘとなって外方へ突出した形状を示して連続する異形Ｕ字形態となる。
【００１５】
しかし、このガイドワイヤ１は、同じく芯材２の先細化に基づく曲げ剛性の変化によって曲率半径Ｒ１・Ｒ２を順次小になして曲げ変形するものの、その曲率半径Ｒ１・Ｒ２の遷移は極めて円滑にして前記の変曲点Ｘ不存在の「異なる曲率半径円弧の円滑遷移形態」となる。
【００１６】
補足すれば、ガイドワイヤ１が前記の円滑遷移形態を呈するのは「固着ポイントＰの存在によって芯材２とコイルばね体３との相対位置が曲げ中立面（芯材２の中心線）に対して安定して「曲げ特性要因の断面二次モーメント」が先端部１Ａの長さ方向で安定するのに対して、ガイドワイヤ２０は曲げ抵抗によって芯材２の中心線が曲げ中立面から離れる方向に自由に移動し（芯材２とコイルばね体３間の遊隙内の移動）当該部位の断面二次モーメントが小となって前記変曲点Ｘを生ずる曲げメカニズムに基づくものと推考できる。
【００１７】
以上の曲げ特性から従来のガイドワイヤ２０は、変曲点Ｘ部位が外方へ大きく突出する形態となるので、その突出部位が血管壁を無理に押し広げ作用して挿入抵抗の増大と、それによる「血管壁損傷・患者の苦痛増大」をもたらす治療性上の難点が存在する。しかし、前記曲げ特性のガイドワイヤ１は、前記の円滑曲げ遷移形態であることから、曲げ状態における有害な変曲点Ｘの発生がなく背景技術の前記難点を解消して当該治療性を特段に向上する。
【００１８】
さらに、このガイドワイヤ１は体腔内挿入のステアリング性を特段に向上する下記の特有作用がある。詳しくは（図１（Ｄ）参照）固着ポイントＰをスパン配設したガイドワイヤ１と、固着ポイントＰ不存在の同一サイズ仕様の従来ガイドワイヤ２０を「手元部２Ｂの後端を３６０°回転させたときの先端部１Ａの前端の回転量は、両者の対比実験から「ガイドワイヤ２０＝５３°、に対してガイドワイヤ１=２５７°」にして、ガイドワイヤ１はガイドワイヤ２０の少くとも約５倍の特段の高回転追従性が存在する。
【００１９】
以上の高回転追従性は以下のとおり解析できる。即ち、一般論としてコイルばねの両端に捩り外力を加えると、捩り変位角はコイル巻数に比例し、回転トルクはコイル巻数の逆数に比例する特性となる。従って、前記対比実験の回転量は、ガイドワイヤ１は固着ポイントＰが複数存在して固着ポイントＰによって区画されて連続するコイルばね体３の区画部分が一様な回転トルクを受け、その区画部分のそれぞれが前記一般概念の特性を享受するので、前記の高回転追従性が確保できる。そして、回転トルクの特性についても固着ポイントＰの存在によって前記捩り外力特性と同様なメリット作用が存在し、手元側の回転操作に対する先端側の回転トルクは、ガイドワイヤ１がガイドワイヤ２０の３〜５倍に増大作用する。
【００２０】
即ち、固着ポイントＰの存在構成によって、手元側の回転操作による先端部の回転追従性・回転トルクは、背景技術のものより特段に向上して当該治療性の特段の安定向上ができる。そして、その回転追従性・回転トルクの向上を図るための固着ポイントＰのスパン配設構成は「芯材２・コイルばね体３の線径を単に太くして剛性を高める」従来の技術思想とは全く別異であることかが明白である。
【００２１】
さらに、前記基本形態の固着ポイントＰは、固着ポイントＰのスパンの大小自在のセットが可能であることから、そのスパンを小にすることによって先端部１Ａの曲げ剛性を大にしたり、スパンを大にすることによって先端部１Ａの曲げ剛性を小にする調整セットが自在となる。従って、手元部の通常の押し込み操作力によって曲げ変形可能な限度曲げ曲率を予測した曲げ剛性を定量的に付与設定することが可能になる。
【００２２】
かくして、その限度曲げ特性に設定されたガイドワイヤ１は、異常な曲げ変形が発生し易い血管分岐部位や血管の極度湾曲部位において、異常抵抗を手元部へ感知可能にする特性定量設定が可能となり、その異常曲げ変形のための異常な押し込み・回転力を感知して許容範囲内の押し込み・回転の操作力にとどめることによって、異常操作力による血管壁損傷・血管壁解離・ガイドワイヤ損傷等を未然防止して、通常操作力による円滑な血管内進行を図ることができる。
【００２３】
そして、患者個別の血管事情や病変部の個有事情に整合した「最小許容曲げ半径」を定量設定した多様仕様のガイドワイヤの提供が可能になり、当該治療性の特段の向上ができる。以上の主たる作用効果がある。
【発明を実施するための最良の形態】
【００２４】
以下、前記基本形態に基づく好ましい実施例を説明する。
【実施例】
【００２５】
まず、図１の基本形態図のガイドワイヤ１の具体例諸元を説明する。即ち、「全長＝約１５００粍・先端部１Ａの長さ＝約３００粍」芯材２の前端部２Ａは「手元側の０．１９３粍直径から、前端の約０．０３粍直径に漸減縮径の先細形状」コイルばね体３は「コイル素線の直径＝０．０７２粍・コイル外側直径＝０．３５５粍」芯材２・コイルばね体３はステンレス鋼線材」の通常諸元にして、前端の長さの２０粍の「固着ポイント不存在Ｌ」に続く先端部１Ａに「コイルばね体３のコイル内周と芯材２の前端部２Ａの外周に固定した厚さ約１．０粍のドーナツ形状の固着ポイントＰ」がスパンＳ=約１０〜３０粍の略等スパンでロー材（金合金）によって形成設定されている。
【００２６】
以上の諸元のガイドワイヤ１は、例えば心臓動脈の大動脈弓から冠状動脈内へ先端部分の約１２０粍を挿入する場合、その屈曲挿入性と挿入ステアリング性が極めて良く、前記の主たる作用効果が享受できる。
【００２７】
続いて、図２・図３を参照して図１の基本形態のものを基本にするガイドワイヤ１を説明する。即ち、図２に示すガイドワイヤ１は、固着ポイントＰのスパンＳが不等スパンで配設された実施例にして図２のものは、固着ポイントＰのスパンＳが手元側から先端側の方向へスパンＳ１・Ｓ２…ＳＮのように「等差級数的または等比級数的」に漸減徐変する形態」である。
【００２８】
この固着ポイントＰの不等ピッチスパン配設形態のものは下記の特有作用がある。即ち、同一サイズ・形状の芯材前端部２Ａとコイルばね体３から成るガイドワイヤ１の先端部１Ａの曲げ剛性は、固着ポイントＰの配設スパンの粗・密によって小から大になるので、その曲げ剛性の大小によって先端部１Ａの長さ方向の各ゾーンの曲率半径を意図的に調整セットすることが可能になる。従って、心臓冠状動脈用等の治療対象の血管の蛇行屈曲形状にマッチングした長さ方向の曲率半径の円滑遷移形態の先端部１Ａのガイドワイヤの提供が可能になる。
【００２９】
なお、以上の「固着ポイントＰのスパンＳの徐変形態・スパンＳの大小混在形態」は一体共動して曲げ変形・捩り回転する芯材２とコイルばね体３の組合せ状態と、芯材２の先細形状を考慮して先端部１Ａの長さ方向のポジション・ゾーン毎に意図する曲率半径・回転トルクが得られるスパンＳに具体的に設計設定するものであり、図示しないが「広・狭スパンのランダム配設」「級数的徐変ゾーンと等スパンゾーンの混在配設」等の態様を必要に応じて設定する。
【００３０】
さらに、前記の図１〜図２のガイドワイヤ１は固着ポイントＰを放射線不透過材によって形成して計測機能つきガイドワイヤ１の形態にする。この計測機能つきのものは特許文献３のものと同様に、体腔内挿入状態を放射線投影画面にあらわすことによって固着ポイントＰを視認キャッチしてスパンＳ・固着ポイントＰの径を計測単位として病変部のサイズ計測が可能になる。
【００３１】
次に図３を参照して「前記特許請求の範囲」に記載の本発明の１実施例のガイドワイヤ１を説明する。即ち、この図３に示すものは同じく放射線不透過性の固着ポイントＰを等スパン配設したものにおいて、コイルばね体３は白金材の線材とステンレス鋼線材を直列状に溶着接合して所定線径（０．０７２粍直径）まで伸線加工し、しかるのちコイル加工して、前半部分の「放射線不透過性コイル３Ａ」と、後半部分の「放射線透過性コイル３Ｂ」の異種金属コイルの合成の単一コイル形態に形成されている。
【００３２】
そして、放射線不透過性コイル３Ａの全長ＣＬ（３０粍）が、放射線透過性コイル３Ｂに等スパン（スパンＳ＝１０粍）で１０箇所配設した固着ポイントＰのスパンＳの整数倍に設定された計測機能つきガイドワイヤに構成されている。なお、この実施例のもの固着ポイント不存在部Ｌは、前記の異種金属溶接線によるコイル体の溶接部の安定を図る意図から「長さ＝２５粍」にして、図中のＬ２＝５０粍、Ｌ３＝９０粍である。
【００３３】
この図３実施例のガイドワイヤ１は下記の従たる特有作用がある。即ち、体腔内挿入状態において造影剤投入の血管径と「前記不透過性コイル３Ａのコイル長・コイル径または放射線不透過性の固着ポイントＰのスパンＳ・外径」の放射線投影画面上の視認キャッチによって、病変部・病変部隣接部位の血管状態のサイズ計測が可能になる。
【００３４】
さらに、その放射線不透過性コイル３Ａのコイル長が固着ポイントＰのスパンＳの整数倍構成であることから、その不透過性コイル３Ａの全長と該コイル３Ａに続いて存在する固着ポイントＰのスパンＳの投影画面上の対比考察、または、そのいずれかによって、「複雑に立体的に湾曲・屈曲して平面的投影画面に斜視状態であらわれる血管」のサイズ計測の精度が一段と向上する。なお、この実施例の固着ポイントＰは「金ロー、銀ロー、タングステンロー等の放射線不透過材の金属ボール」を加温溶融して、概ね０．３〜１．０粍厚さのドーナツ状にして芯材２とコイルばね体３が同心状に一体化固着して形成されている。
【００３５】
そして、この図３実施例のガイドワイヤ１は「放射線透過性コイル３Ｂがステンレス鋼線材であることから、下記のメリット作用がある。即ち、コイル体３は異種金属の溶接線を伸線加工してコイル成形をするため、両者の材質相違によるスプリングバック量の差によってコイル３Ａのコイル外径が小となり、全体としてコイル径が徐変縮径したより高度の細先形態となる。従って、この先端部の徐変縮径によって血管閉塞部・血管の内膜・中膜等への侵入性をより向上させることが可能にになり、当該治療性が向上する。
【００３６】
詳しくは、この図３実施例のガイドワイヤ１は、以上の「コイル径の徐変縮径」形態にして、かつ、前記の計測機能つき構成であることから、冠状動脈治療等において下記の特有作用がある。即ち、冠状動脈内ではガイドワイヤ１は先端より１００〜１２０粍が挿入され、病変部が最も多いのは血管分岐部にして、例えば（図３（Ｂ）参照）左冠状動脈１５では入口より３０〜６０粍の図示１６のポイントに病変部（血管狭窄部１１）が発生し易い。この病変部を計測するとき、特許文献３のガイドワイヤのように先端から約５０粍の範囲で計測しようとすると、左冠状動脈１５の入口より３０〜６０粍のみしか挿入できず、柔軟性に富むガイドワイヤ先端部は血流によって大きく揺れて不安定姿勢を呈して正確な計測が困難となる。
【００３７】
以上の背景技術の難点に対して、図３実施例のものは前記のコイル径の徐変縮径形態であることから、血管狭窄部１１を超えて血管深部まで挿入可能にして、かつ、先端より１４０粍の位置まで等間隔の固着ポイントＰが存在しているので、この固着ポイントＰ（図示１７）を血管狭窄部１１の端（図示１１Ａ）に一致させることによって「先端部深部挿入により血流からの揺れ防止をして安定姿勢に保持し」高精度の病変部計測が極めて容易となる。なお、図中の１８はカテーテルである。
【００３８】
続いて、前記基本形態のガイドワイヤ１の他の実施例を説明する。即ち、前記各実施例と前記実施例以外のガイドワイヤ１において、コイルばね体３を「単数のコイル線によって単条巻した単条コイル体」の限定構成にする態様にすることがある。この単条コイル体構成にすると以下に述べる特有の作用効果がある。
【００３９】
詳しくは（図４（Ａ）参照）血管１０の屈曲蛇行部位において、先端部１Ａが屈曲姿勢を呈すると曲げ外側のコイルばね体３の単条コイルはコイル線間が開いて「先端部１Ａの存在と曲げ血管路によって流速を増した先端部１Ａの外側の血流が、そのコイル線間の隙間６からコイル内に圧入流して固着ポイントＰに衝接作用して前方方向への推力１２を生ずる。そして、多数個スパン並設の固着ポイントＰ群によって、その推力が増幅されるので、屈曲度が大なる血管内の深部まで先端部１Ａの挿入進行が極めて容易になる。さらに、芯線２の前端部２Ａが先細形態であることから、前端寄りになる程前記推力の受圧面が増大するので、挿入抵抗が大なる前端部位の血管内進行を効果的に支援する。
【００４０】
以上の特有作用に対比して、コイルばね体３が多条コイルのものは曲げ変形時の引張り側のコイル線が相対滑りして線間隙間６を生じないので、血液流入による前記の推力発生がなく、先端部１Ａの血管内深部挿入や屈曲度大の血管内挿入が困難にして治療性を阻害する。そして、固着ポイントＰ不存在の従来形態のものも当然に前記推力の発生がなく同様な難点が存在する。
【００４１】
さらに、前記各実施例のものは固着ポイントＰの存在による下記の特有作用がある。即ち（図４（Ｂ）参照）固着ポイントＰ不存在の従来のガイドワイヤ２０は、血管狭窄部１１に先端部１Ａを挿入すると、血管狭窄部１１では図示のようにポイント１３でロックされた状態と成り、その状態で回転トルクを伝達する為には、そのロックポイント１３から先のコイルばね体３のコイル巻数に比例する捻り角が必要にして大なる回転操作が不可欠になる。従って、それによってコイル体３・コア線２の捻れ変形や線材損傷をもたらすトラブルを生ずることがある。
【００４２】
以上の従来のガイドワイヤ２０に対してガイドワイヤ１は固着ポイントＰが存在するので前記のロック状態で回転トルクを伝達する為には固着ポイントＰのワンスパンの巻数に対応する小なる回転トルクで回転操作可能になる。従って、血管狭窄部１１におけるガイドワイヤの回転操作が極めて容易になると共に、先端部１Ａの前記損傷トラブルを防止する高実用性の特有の作用効果がある。
【００４３】
次に、ガイドワイヤ１の先端部１Ａの漸減先細形状の芯材前端部２Ａの直径と、固着ポイントＰのスパンＳの相関関係を解析すると下記のとおりになる。即ち、（図４（Ｃ）参照）固着ポイントＰ間の捻り剛性はスパンＳ間のコイル巻数に反比例し、かつ、そのスパン間の芯材２の前端部２Ａの直径の４条に比例する力学的メカニズムになる。
【００４４】
従って、太径Ｄ１・スパンＳＡのコア線前端部２Ａの太径部分と、細径Ｄ２・スパンＳＢの細径部分の捻り剛性を調整して、先端部２Ａの長さ方向に漸減徐変させる好ましい捻り変形形態を生じさせるためには、段落００１１に記載した態様の下記表１のサイズ関係を満足させるのが好ましく、前記各実施例のものはこのサイズ条件を満足させてある。
【００４５】
【表１】
0003626488.tif 000002
【００４６】
なお、本発明のガイドワイヤは前記実施例に限定されず、例えば「固着ポイントＰは前記のドーナツ形状に限定されず、芯材２の前端部２Ａとコイルばね体３を、回転・押し引き操作力に抗して同芯状または偏芯状に一体固定する形状」であれば良く、コイルばね体３は前記例示の単条コイル以外の多条コイルにしたり、コイル線間間隙つきコイルばね体にする等の変化がある。
【図面の簡単な説明】
【００４７】
【図１】本発明の医療用ガイドワイヤの基本となる基本形態を示し、（Ａ）はその構造説明の正面図、（Ｂ）はその横断面図、（Ｃ）（Ｄ）はその特性説明図
【図２】図１の基本形態の一態様の医療用ガイドワイヤの構造説明の正面図
【図３】本発明の実施例の医療用ガイドワイヤを示し、（Ａ）はその構造説明の正面図、（Ｂ）はその作用説明図
【図４】図１〜図３に示す医療用ガイドワイヤの作用状態と要部構造を示し、（Ａ）（Ｂ）はその作用状態の説明図、（Ｃ）はその要部構造の説明図
【図５】背景技術の医療用ガイドワイヤを示し、（Ａ）（Ｂ）ともその構造説明の正面図
【符号の説明】
【００４８】
１  医療用ガイドワイヤ
１Ａ  ガイドワイヤの先端部
２  芯材
２Ａ  芯材の前端部
２Ｂ  芯材の手元部
３  コイルばね体
３Ａ  放射線不透過性コイル
３Ｂ  放射線透過性コイル
５  截頭円錐形部
６  コイル線間隙間
１０  血管
１１  血管狭窄部
Ｌ  固着ポイント不存在部
Ｐ  固着ポイント
Ｓ  固着ポイントのスパン
Ｒ  曲率半径
Ｍ  マーカー
【要約】
【課題】  細径状の前端部２Ａと前端部２Ａより太径の手元部２Ｂから成る長尺可撓性の芯材２の前端部２Ａに、両端を芯材２に固定したコイルばね体３を嵌装した先端部１Ａから成る医療用ガイドワイヤ１において、前端部２Ａの「曲げ特性とステアリング性」の特段の向上を図る。
【解決手段】  芯材２の前端部２Ａが截頭円錐形部５等によって前端方向に徐変縮径またはテーパー縮径された先細形状にして、先端から少くとも２０粍長はコイルばね体３と芯材２の非一体化ゾーンＬに形成され、さらに非一体化ゾーンＬからコイルばね体３の後端間に、芯材２の外周とコイルばね体３の内周を固着した固着ポイントＰを複数個スパン配設した構造が特徴である。
【選択図】      図１
【図１】
0003626488.tif 000003
【図２】
0003626488.tif 000004
【図３】
0003626488.tif 000005
【図４】
0003626488.tif 000006
【図５】
0003626488.tif 000007